(57)【要約】【課題】蓋体収容部に入り込んだ薄型の物品を掃き出し得る収容装置を提供すること。【解決手段】蓋体収容部３に設けたケース側櫛部３０と蓋体４に設けた蓋側櫛部４１とが、蓋体４が少なくとも開位置と閉位置との間を移動する際に噛み合うようにする。そして、蓋体収容部３のなかで開位置における蓋側櫛部４１よりも手前側に、内部に向けて開口する切り欠き状の支持棚部３１を設け、支持棚部３１の底面３１ｂが蓋体４の移動方向と交叉する方向に延びるようにし、支持棚部３１の底面３１ｂには、突起状をなす落ち込み防止部３２を少なくとも一つ設ける。蓋体収容部３の奥側に入り込んだ薄型の物品８０、８１を支持棚部３１で支持し、支持棚部３１に支持された薄型の物品８０、８１を蓋側櫛部４１または蓋体４の他の部分で蓋体収容部３の手前側に掃き出す。【選択図】図１
2010089602.tif 000002
【特許請求の範囲】
【請求項１】
開口を持つケース体と、該ケース体に取り付けられ該開口を閉じる閉位置と該開口を開く開位置との間を移動する蓋体と、を持つ収容装置であって、
該ケース体は、該開口を持ち箱状をなすケース本体部と、箱状をなし該ケース本体部の外部に形成され該蓋体を少なくとも該開位置において収容する蓋体収容部と、を持ち、
該蓋体収容部は、内部に向けて突出し該蓋体の移動方向に沿って延びる複数のケース側櫛歯が該蓋体の移動方向と交叉する方向に互いに離間しつつ配列してなるケース側櫛部を持ち、
該蓋体は、少なくとも一つの蓋側櫛歯を持ち少なくとも該開位置と該閉位置との間を移動する際に該ケース側櫛部と噛み合う蓋側櫛部を持ち、
該蓋体収容部は、該開位置における該蓋側櫛部よりも手前側に形成され内部に向けて開口する切り欠き状の支持棚部を持ち、
該支持棚部の底面は、該蓋体の移動方向と交叉する方向に延び、
該底面には、突起状をなす落ち込み防止部が少なくとも一つ形成されていることを特徴とする収容装置。
【請求項２】
前記蓋側櫛部と前記ケース側櫛部との噛み合いは、前記蓋体が開位置に移動すると解除される請求項１に記載の収容装置。
【請求項３】
前記支持棚部は、前記ケース側櫛部の奥側端部よりも奥側に形成されている請求項２に記載の収容装置。
【発明の詳細な説明】
【技術分野】
【０００１】
本発明は、例えばカップホルダや灰皿、コンソールボックス等の収容装置に関する。
【背景技術】
【０００２】
収容装置として、ケース体と蓋体とを持つものが知られている。ケース体は開口を持つ。蓋体は、ケース体に取り付けられ開口を閉じる閉位置と開口を開く開位置との間を移動する。より詳しくは、この種の収容装置におけるケース体は、ケース本体部と蓋体収容部とを持つ。ケース本体部は、上述した開口を持ち、箱状をなす。蓋体収容部は、箱状をなし、ケース本体部の外部に形成されている。蓋体収容部は、蓋体を少なくとも開位置において収容する。この種の収容装置における蓋体収容部には、小銭等やカードなどの小型の物品が入り込む場合がある。一般に、蓋体収容部の内壁と蓋体との間には、蓋体の移動を許容する程度の隙間が形成されているためである。しかし、蓋体収容部の内壁と蓋体との隙間は比較的小さいため、蓋体収容部に入り込んだ物品をユーザーが手で取り出すのは困難であった。
【０００３】
蓋体収容部に入り込んだ物品を蓋体収容部の手前側（すなわち、蓋体収容部の入り口側）掃き出すための櫛歯構造を収容装置に設ける技術もある（例えば、特許文献１参照）。
【０００４】
特許文献１に紹介されている収容装置における蓋体と蓋体収容部とには、それぞれ、互いに噛み合う櫛歯が設けられている。蓋体に形成されている櫛歯（蓋側櫛歯と呼ぶ）と、蓋体収容部に形成されている櫛歯（ケース側櫛歯と呼ぶ）とは、常に噛み合っている。蓋側櫛部およびケース側櫛部が噛み合うことで、蓋体収容部の奥側に物品が入り込むのを抑制できる。蓋体収容部に入り込んだ物品は、蓋体を閉位置に移動させる際に、蓋側櫛部によって掃き出すことができる。
【０００５】
しかし、この種の収容装置は、蓋体収容部に入り込んだカードなどの薄型の物品を蓋体収容部の手前側に掃き出せない場合がある。例えば、収容装置の形状によっては、蓋体を開位置に配置した際には、蓋側櫛部とケース側櫛部との噛み合い量が非常に小さくなったり、蓋側櫛部とケース側櫛部との噛み合いが解除される場合がある。これらの場合には、薄型の物品が蓋体収容部のなかで蓋側櫛部の移動領域よりも奥側にまで入り込む場合がある。蓋側櫛部の移動領域よりも奥側にまで入り込んだ薄型の物品は、蓋側櫛部によっても掃き出せない。したがって、蓋体収容部に入り込んだ薄型の物品を掃き出し得る収容装置が望まれている。
【特許文献１】実開平６−３２１９９号公報
【発明の開示】
【発明が解決しようとする課題】
【０００６】
本発明は上記事情に鑑みてなされたものであり、蓋体収容部に入り込んだ薄型の物品を掃き出し得る収容装置を提供することを目的とする。
【課題を解決するための手段】
【０００７】
上記課題を解決する収容装置は、開口２０を持つケース体１と、ケース体１に取り付けられ開口２０を閉じる閉位置と開口２０を開く開位置との間を移動する蓋体４と、を持つ収容装置であって、
ケース体１は、開口２０を持ち箱状をなすケース本体部２と、箱状をなしケース本体部２の外部に形成され蓋体４を少なくとも開位置において収容する蓋体収容部３と、を持ち、
蓋体収容部３は、内部に向けて突出し蓋体４の移動方向に沿って延びる複数のケース側櫛歯３０ａが蓋体４の移動方向と交叉する方向に互いに離間しつつ配列してなるケース側櫛部３０を持ち、
蓋体４は、少なくとも一つの蓋側櫛歯４１ａを持ち少なくとも開位置と閉位置との間を移動する際にケース側櫛部３０と噛み合う蓋側櫛部４１を持ち、
蓋体収容部３は、開位置における蓋側櫛部４１よりも手前側に形成され内部に向けて開口する切り欠き状の支持棚部３１を持ち、
支持棚部３１の底面３１ｂは、蓋体４の移動方向と交叉する方向に延び、
底面３１ｂには、突起状をなす落ち込み防止部３２が少なくとも一つ形成されていることを特徴とする。
【０００８】
本発明の収容装置は、下記の（１）を備えるのが好ましく、（１）および（２）を備えるのがより好ましい。
【０００９】
（１）前記蓋側櫛部４１と前記ケース側櫛部３０との噛み合いは、前記蓋体４が開位置に移動すると解除される。
【００１０】
（２）前記支持棚部３１は、前記ケース側櫛部３０の奥側端部よりも奥側に形成されている。
【発明の効果】
【００１１】
本発明の収容装置は、蓋側櫛部とケース側櫛部とを持つ。そして、蓋体が開位置と閉位置との間を移動している際（以下、移動状態と呼ぶ）には、蓋側櫛部とケース側櫛部とが噛み合う。このため、移動状態においては、蓋側櫛部とケース側櫛部との噛み合い部分（以下、噛み合い部分と呼ぶ）から蓋体収容部の奥側にかけての蓋体収容部の内壁と蓋体との隙間は、実質的になくなる。したがって、移動状態において噛み合い部分よりも蓋体収容部の手前側に入り込んだ薄型の物品は、噛み合い部分で留まり、蓋体収容部の奥側に入り込み難い。
【００１２】
また、本発明の収容装置における蓋体収容部は、内部に向けて開口する切り欠き状の支持棚部を持つ。したがって、噛み合い部分が支持棚部よりも奥側に移動すると、薄型の物品は支持棚部に支持される。この支持棚部は、開位置における蓋側櫛部よりも手前側に形成されている。換言すると、支持棚部は蓋側櫛部の移動領域よりも手前側に配置されている。このため、支持棚に支持されていた薄型の物品は、蓋体が開位置から閉位置に移動する際に、蓋側櫛部によって支持棚から蓋体収容部の手前側に向けて掃き出される。換言すると、蓋体収容部に入り込んだ薄型の物品は、支持棚部に支持されるために、蓋体収容部のなかで支持棚部よりも奥側には入り込み難い。さらに、支持棚部に支持された薄型の物品は、蓋側櫛部によって手前側に掃き出される。なお、蓋体の形状によっては、支持棚部に支持された薄型の物品を、蓋体における蓋側櫛部以外の部分（以下、蓋本体部と呼ぶ）によって手前側に掃き出すこともできる。したがって、本発明の収容装置によると、蓋体収容部に入り込んだ薄型の物品を信頼性高く掃き出し得る。
【００１３】
さらに、支持棚部の形状によっては、薄型の物品が支持棚部の奥側に入り込む場合がある。この場合には、支持棚部に支持された薄型の物品を蓋側櫛部や蓋本体部によって掃き出せない場合がある。本発明の収容装置における支持棚部の底面には、突起状をなす落ち込み防止部が少なくとも一つ形成されている。この落ち込み防止部は、薄型の物品が支持棚部の奥側に入り込むのを抑制する。したがって、本発明の収容装置によると、蓋体収容部に入り込み支持棚部に支持された薄型の物品を、信頼性高く掃き出し得る。
【００１４】
上記（１）を備える本発明の収容装置によると、薄型の物品が蓋体収容部の奥側に入り込むのをより信頼性高く抑制でき、蓋体収容部に入り込んだ薄型の物品をより信頼性高く掃き出し得る。これは以下の理由による。
【００１５】
レシートなどの極めて薄型の物品は、蓋側櫛部とケース側櫛部との間に噛み込まれる可能性がある。そして、蓋側櫛部とケース側櫛部との間に噛み込まれた極めて薄型の物品は、蓋体を開位置に移動させる際に蓋体とともに移動して、蓋体収容部の奥側に入り込む可能性がある。上記（１）を備える本発明の収容装置によると、蓋体が開位置に移動すると蓋側櫛部とケース側櫛部との噛み合いが解除される。このため、蓋側櫛部とケース側櫛部との間に噛み込まれた極めて薄型の物品は、蓋体が開位置にまで移動すると、蓋側櫛部とケース側櫛部との間から開放される。そして、開放された極めて薄型の物品は、蓋体を開位置から閉位置に移動させる際に、蓋側櫛部または蓋本体部によって蓋体収容部の手前側に掃き出される。なお、蓋側櫛部とケース側櫛部との間に噛み込まれることで、極めて薄型の物品は３次元的に変形する。３次元的に変形した極めて薄型の物品は、蓋側櫛部とケース側櫛部との間から開放されると、それ以上奥側には入り込み難い。よって、上記（１）を備える本発明の収容装置によると、蓋体収容部に入り込んだ薄型の物品を、より信頼性高く蓋体収容部の手前側に掃き出すことができる。
【００１６】
また、上記（２）を備える本発明の収容装置における支持棚部は、ケース側櫛部の奥側端部よりも奥側に形成されている。このため支持棚部は、開位置における蓋側櫛部とケース側櫛部との間に配置される。したがって、蓋側櫛部とケース側櫛部との間に噛み込まれた極めて薄型の物品は、蓋体が開位置にまで移動すると開放され、支持棚部に支持される。このため極めて薄型の物品は、蓋体収容部のさらに奥側（すなわち蓋側櫛部の移動領域よりもさらに奥側）に入り込み難い。よって、上記（２）を備える本発明の収容装置によると、蓋体収容部に入り込んだ薄型の物品を、より一層信頼性高く蓋体収容部の手前側に掃き出すことができる。
【発明を実施するための最良の形態】
【００１７】
以下、実施例を基に、本発明の収容装置を具体的に説明する。
【００１８】
（実施例）
実施例の収容装置は自動車用のドリンクホルダである。実施例の収容装置は上記（１）〜（２）を備える。実施例の収容装置を模式的に表す分解斜視図を図１に示す。実施例の収容装置の動作を模式的に表す説明図を図２〜図６に示す。以下、実施例において、上、下、左、右、前、後、手前側、奥側とは、図１に示す上、下、左、右、前、後、手前側、奥側を指す。
【００１９】
図１に示すように、実施例の収容装置は、ケース体１と、蓋体４と、蓋体駆動手段５と、ロック手段（図略）とを持つ。ケース体１は、ケース本体部２と蓋体収容部３とを持つ。
【００２０】
ケース本体部２は、上方に開口する箱状をなす。蓋体収容部３は上方および後方に開口する湾曲板状をなす。ケース本体部２の左側壁には、後述する蓋体駆動手段５が取り付けられている。
【００２１】
蓋体収容部３は後方の開口をケース本体部２に向けつつ、ケース本体部２の前方に取り付けられている。したがってケース本体部２の前側には、ケース本体部２の外側壁と蓋体収容部３の内側壁とで区画された蓋体収容空間１０が形成されている（図２）。
【００２２】
図１に示すように、蓋体収容部３の前側内壁には、ケース側櫛部３０と支持棚部３１とが形成されている。ケース側櫛部３０は、複数のケース側櫛歯３０ａからなる。各ケース側櫛歯３０ａは、蓋体収容部３の手前側から奥側に向けて湾曲しつつ延びている。蓋体収容部３の延びる方向は、後述する蓋体４の移動方向と平行である。また、各ケース側櫛歯３０ａは、蓋体収容部３の内部（すなわち後側、ケース本体部２側）に向けて突出している。各ケース側櫛歯３０ａの突出高さは、手前側から奥側に向けて徐々に小さくなっている。各ケース側櫛歯３０ａは左右方向に配列している。隣接するケース側櫛歯３０ａ同士は離間している。
【００２３】
支持棚部３１は、各ケース側櫛歯３０ａの奥側端部よりも奥側に形成されている。支持棚部３１は断面略Ｌ字の切り欠き状をなし、全体として左右方向に延びている。支持棚部３１は蓋体収容部３の内部に向けて開口している。支持棚部３１の側面３１ａは上下方向かつ左右方向に延び、底面３１ｂは前後方向かつ左右方向に延びている。換言すると、支持棚部３１は、側面３１ａを後方に向け、底面３１ｂを上方に向けている。支持棚部３１の底面３１ｂには、突起状をなす落ち込み防止部３２が複数形成されている。各落ち込み防止部３２は、蓋体収容部３の前側内壁の一般面３５（蓋体収容部３の前側内壁のなかでケース側櫛部３０および支持棚部３１以外の面）と略面一である。したがって支持棚部３１は、落ち込み防止部３２によって複数の副支持棚部３１ｃに分断されている。実施例の収容装置における副支持棚部３１ｃの長さ（隣接する落ち込み防止部３２同士の間隙長さ）は３０〜４０ｍｍであり、落ち込み防止部３２の長さ（隣接する副支持棚部３１ｃ同士の間隙長さ）は４ｍｍである。
【００２４】
蓋体４は、蓋本体部４０と蓋側櫛部４１と回動軸部４２とを持つ。蓋本体部４０はケース本体部２の開口に対応した略板状をなす。蓋側櫛部４１は、複数の蓋側櫛歯４１ａからなる。各蓋側櫛歯４１ａは、後述する閉位置において前方に突出する略舌状をなし、左右方向に配列している。隣接する蓋側櫛歯４１ａ同士は離間している。回動軸部４２は、蓋本体部４０の左右端部に形成され、後述する連結腕部５２に枢支されている。蓋体４を後述する閉位置に配置すると、蓋側櫛部４１はケース側櫛部３０と噛み合う（図２）。
【００２５】
蓋体駆動手段５は、蓋側ガイド部５０と、ケース側ガイド部５１と、連結腕部５２と、付勢手段（図略）と、ロック手段（図略）とを持つ。蓋側ガイド部５０は、ギヤ状をなし、蓋体４に一体化されている。ケース側ガイド部５１は、蓋側ガイド部５０と噛み合う歯列を持ち、ケース本体部２の外側壁に一体化されている。連結腕部５２は略棹状をなす。連結腕部５２は第１枢支部５２ａと第２枢支部５２ｂとを持つ。第１枢支部５２ａは、上述した回動軸部４２を枢支している。第２枢支部５２ｂは、ケース本体部２の外側壁に枢支されている。したがって蓋体４は、第１枢支部５２ａを中心として連結腕部５２に対して回動するとともに、第２枢支部５２ｂを中心としてケース本体部２に対して回動する。換言すると、蓋体４は第１枢支部５２ａと第２枢支部５２ｂとの２軸を中心として回動する。図略の付勢手段はつる巻きバネ状をなす。付勢手段の一端はケース本体部２に固定され、他端は連結腕部５２に固定されている。付勢手段は、連結腕部５２を図２中反時計回りに付勢し、蓋体４を図３に示す開位置に付勢する。図略のロック手段は、ハートカムからなる。ロック手段は、蓋体４の後端部に取り付けられている蓋側ロック部（図略）と、ケース本体部２の後端部に取り付けられているケース側ロック部（図略）と、を持つ。ロック手段は、蓋体４を図２に示す閉位置にロックする。
【００２６】
実施例の収容装置の動作を以下に説明する。
【００２７】
図２に示す閉位置において、蓋体４はケース本体部２の開口２０を閉じている。このとき、蓋側櫛部４１はケース側櫛部３０の手前側部分と噛み合っている。このため、蓋体収容部３のなかで噛み合い部分７０よりも手前側に入り込んだ物品は、噛み合い部分７０で留まり、蓋体収容部３の手前側から取り出すことができる。
【００２８】
蓋体４の後端部を下方に押すと、図略のロック手段が解除される。上述したように、連結腕部５２は図略の付勢手段によって図２中反時計回りに付勢されている。したがって、ロック手段が解除されると、連結腕部５２が第２枢支部５２ｂを中心に図２中反時計回りに回動する。すると、連結腕部５２に枢支されている蓋体４もまた、連結腕部５２とともに移動する。このとき、蓋体４に取り付けられている蓋側ガイド部５０と、ケース本体部２に取り付けられているケース側ガイド部５１とが噛み合うことで、蓋体４の回動方向が案内されるとともに、蓋体４の回動角が規制される。よって蓋体４は、開口２０を開きつつ閉位置から開位置に移動し、蓋体収容部３の蓋体収容空間１０に収容される（図３）。なお、ケース側櫛歯３０ａは蓋体４の移動方向に沿って延びている。このため、蓋体４が閉位置と開位置との間を移動している際には、蓋側櫛部４１はケース側櫛部３０と噛み合う。このため、蓋体４が閉位置と開位置との間を移動している際には、蓋体収容部３（蓋体収容空間１０）のなかで噛み合い部分７０よりも手前側に入り込んだ物品は、噛み合い部分７０に留まりつつ、蓋体４の移動に伴って蓋体収容部３の奥側に移動する。
【００２９】
図３に示す開位置において、蓋側櫛部４１はケース側櫛部３０の奥側端部よりも奥側に配置される。このため、蓋体４が開位置に移動すると、蓋側櫛部４１とケース側櫛部３０との噛み合いは解除される。ところで、蓋体収容部３のなかで開位置における蓋側櫛部４１よりも手前側には、支持棚部３１が形成されている。支持棚部３１の底面３１ｂは蓋体４の移動方向と交叉する方向（左右方向および前後方向）に延びている。このため支持棚部３１は、薄型の物品８０を底面３１ｂで支持できる。したがって、噛み合い部分７０に留まっていた薄型の物品８０は、図３に示すように支持棚部３１に支持される。蓋体４が開位置に配置されている際に蓋体収容部３に入り込んだ薄型の物品８０もまた、支持棚部３１に支持される。なお、厚型の物品は蓋体収容部３の奥側には入り込まないため、蓋体収容部３のなかで蓋側櫛部４１よりも手前側に保持されたままである。
【００３０】
蓋体４を図３に示す開位置から図２に示す閉位置に移動させる際には、蓋体４の後端部（図３における上端部）をつかみ、付勢手段の付勢力に抗って上後方に引き出す。すると蓋体４は、蓋側ガイド部５０とケース側ガイド部５１とに案内されて、閉位置に向けて移動する。このとき蓋側櫛部４１は、ケース側櫛部３０と再度噛み合う。そして、支持棚部３１に支持されていた薄型の物品８０は、蓋体４が開位置から閉位置に移動する際に、蓋側櫛部４１または蓋本体部４０によって手前側（上側）に掃き出される。蓋体収容部３に入り込んでいた厚型の物品もまた、蓋体４が開位置から閉位置に移動する際に、蓋側櫛部４１または蓋本体部４０によって手前側（上側）に掃き出される。なお、支持棚部３１は、図１に示す落ち込み防止部３２によって複数の副支持棚部３１ｃに分断されているため、薄型の物品８０は、支持棚部３１の奥側には入り込み難い。したがって、蓋側櫛部４１または蓋本体部４０は、支持棚部３１に支持されていた薄型の物品８０を信頼性高く掃き出し得る。蓋体収容部３の手前側に掃き出された物品は、ユーザーの手で取り出すことができる。
【００３１】
ところで、図５に示すように、極めて薄型の物品（レシート８１）は蓋側櫛部４１とケース側櫛部３０との間に噛み込まれる場合がある。この場合、蓋側櫛部４１とケース側櫛部３０との間に噛み込まれたレシート８１は、蓋体４が開位置に移動する際に蓋体４とともに移動して、蓋体収容部３の奥側に入り込む。しかし、蓋体４が開位置にまで移動すると、蓋側櫛部４１とケース側櫛部３０との噛み合いが解除される。このため、蓋側櫛部４１とケース側櫛部３０との間に噛み込まれたレシート８１は、蓋側櫛部４１とケース側櫛部３０との間から開放され、支持棚部３１に支持される（図６）。このためレシート８１は、蓋体４が開位置から閉位置に移動する際に、蓋側櫛部４１または蓋本体部４０によって手前側に掃き出される。
【００３２】
実施例の収容装置は、これらの協働によって、薄型の物品８０、８１を蓋体収容部３の手前側に信頼性高く掃き出し得る。
【００３３】
実施例の収容装置における蓋体４は開位置と閉位置との間を回動するが、本発明の収容装置における蓋体４はスライド移動などの他の方法で開位置と閉位置との間を移動しても良い。この場合にも、蓋体４に蓋側櫛部４１を設け、蓋体収容部３にケース側櫛部３０を設けることで、蓋体収容部３に入り込んだ物品を蓋側櫛部４１または蓋本体部４０で掃き出すことができる。そして、この場合にも、蓋体収容部３に支持棚部３１を設けることで蓋体収容部３に入り込んだ薄型の物品８０を支持棚部３１で支持でき、蓋側櫛部４１または蓋本体部４０で掃き出すことができる。
【００３４】
実施例の収容装置における各ケース側櫛歯３０ａはそれぞれ同じ形状である。しかし、本発明の収容装置における各ケース側櫛歯３０ａは、蓋体４の移動方向に沿って延びれば良く、それぞれ異なる形状であっても良い。また、各ケース側櫛歯３０ａは、長さ方向（蓋体４の移動方向）に分断されていても良い。換言すると、各ケース側櫛歯３０ａは、長さ方向に配列する複数のケース側副櫛歯からなっても良い。この場合支持棚部３１は、長さ方向に隣接するケース側副櫛歯同士の隙間に形成されても良い。
【００３５】
本発明の収容装置における副支持棚部３１ｃの長さは３０〜５０ｍｍであるのが好ましく、落ち込み防止部３２の長さは２〜５ｍｍであるのが好ましい。名刺、クレジットカード等に代表される一般的なカード類の短尺方向の長さは５０〜５５ｍｍであるため、副支持棚部３１ｃの長さおよび落ち込み防止部３２の長さがこの範囲であれば、カード類を副支持棚部３１ｃによって信頼性高く支持でき、かつ、カード類が副支持棚部３１ｃの奥側に入り込み難い。
【図面の簡単な説明】
【００３６】
【図１】実施例の収容装置を模式的に表す分解斜視図である。
【図２】実施例の収容装置の動作を模式的に表す説明図である。
【図３】実施例の収容装置の動作を模式的に表す説明図である。
【図４】実施例の収容装置の動作を模式的に表す説明図である。
【図５】実施例の収容装置の動作を模式的に表す説明図である。
【図６】実施例の収容装置の動作を模式的に表す説明図である。
【符号の説明】
【００３７】
１：ケース体          ２：ケース本体部        ３：蓋体収容部        
４：蓋体              ５：蓋体駆動手段        ３０：ケース側櫛部      
３１：支持棚部        ３０ａ：ケース側櫛歯    ３１ｂ：支持棚部の底面
３２：落ち込み防止部  ４０：蓋本体部          ４１：蓋側櫛部
４１ａ：蓋側櫛歯
【図１】
2010089602.tif 000003
【図２】
2010089602.tif 000004
【図３】
2010089602.tif 000005
【図４】
2010089602.tif 000006
【図５】
2010089602.tif 000007
【図６】
2010089602.tif 000008